(57)【要約】【課題】携帯用ＡＶ機器、ＰＤＡや携帯電話などに代表される携帯用の電子機器の操作部として搭載される操作つまみ付き回転型電子部品に関し、落下などで衝撃荷重が加わっても操作つまみの破損を防止することができるものを提供する。【解決手段】操作つまみ１１は、駆動体３に固着される固着部分１１Ｂと外周部１１Ａとの間が、等角度で４箇所に配設された円弧状のアーム部１１Ｃによって繋がれており、それらアーム部１１Ｃどうしの間を隙間となるように構成すると共に、各アーム部１１Ｃの厚みを径方向で変えて衝撃吸収力の異なる部位を配設したものとした。【選択図】図１
2005222979.tif 000002
【特許請求の範囲】
【請求項１】
回転軸に固着され、搭載される電子機器の筐体から外方に露出した外周部に触れて回転操作される絶縁樹脂からなる平板状の操作つまみ付きの回転型電子部品であって、上記操作つまみは、その外周部と上記回転軸に固着された部分との間に衝撃緩和手段が設けられ、かつ、その衝撃緩和手段の中で衝撃吸収力の異なる部位を配設してある操作つまみ付き回転型電子部品。
【請求項２】
操作つまみの衝撃緩和手段として、その外周部と回転軸に固着された部分との間が複数のアーム部で繋がれ、そのアーム部どうしの間が隙間となる構成のものとされ、その衝撃緩和手段の中で衝撃吸収力の異なる部位として、上記各アーム部は、径方向に向けて厚みが変えられて構成された請求項１記載の操作つまみ付き回転型電子部品。
【請求項３】
操作つまみの衝撃緩和手段として、その外周部と回転軸に固着された部分との間が薄く形成された薄肉部で連結され、その衝撃緩和手段の中で衝撃吸収力の異なる部位として、上記薄肉部は、径方向に向けて厚みを変えられて構成された請求項１記載の操作つまみ付き回転型電子部品。
【請求項４】
衝撃緩和手段の衝撃吸収力の異なる部位を含めて操作つまみの材質が、エラストマー樹脂製である請求項１記載の操作つまみ付き回転型電子部品。
【請求項５】
衝撃吸収力の異なる部位は、径方向に向かって厚みが暫時変えられて構成されている請求項１記載の操作つまみ付き回転型電子部品。
【請求項６】
回転軸に固着され、搭載される電子機器の筐体から外方に露出した外周部に触れて回転操作される操作つまみ付きの回転型電子部品であって、上記操作つまみは、エラストマー樹脂で構成され、その材質に起因して上記操作つまみへの衝撃力が緩和される操作つまみ付き回転型電子部品。
【発明の詳細な説明】
【技術分野】
【０００１】
本発明は、携帯用ＡＶ機器、ＰＤＡや携帯電話などに代表される携帯用の電子機器の操作部に搭載される操作つまみ付き回転型電子部品に関するものである。
【背景技術】
【０００２】
近年、携帯用ＡＶ機器、ＰＤＡや携帯電話などの携帯用の電子機器の普及は目覚しく、またその用途から小型軽量化が進んでいる。しかし、携帯用であるために電子機器を誤って落としたり、ぶつけたりすることも多々発生している。そのためこれらの電子機器に搭載されて操作される電子部品の機械的強度の向上が望まれている。
【０００３】
このような従来の操作つまみ付き回転型電子部品としての操作つまみ付き回転型可変抵抗器について、図７〜図９を用いて説明する。
【０００４】
図７は従来の操作つまみ付き回転型可変抵抗器の断面図、図８は同外観斜視図、図９は同分解斜視図である。
【０００５】
同図において、１は凹部底面に抵抗体２がインサート成形されて固定されたケース、３は下方側に突出する円筒状の軸部３Ａを有した駆動体であり、駆動体３の軸部３Ａが、抵抗体２およびケース１の同心に配された円形貫通孔２Ａおよび１Ａ内に上方から挿入されると共に、ケース１下方からフランジ５Ａ付きのピン状部材５のピン部５Ｂが軸部３Ａ内に挿入され、そのピン部５Ｂの先端がかしめられて、駆動体３はケース１に対し回転可能に装着されている。また、駆動体３下面には、上記抵抗体２上を摺動する刷子４（図７での表記は省略する。）が装着されている。なお、上記ケース１の凹部上方はカバーで覆われることも多いが、その図示や説明についても省略する。
【０００６】
そして、駆動体３には、絶縁樹脂からなる平板状の操作つまみ６が、駆動体３に設けた２ヶ所のかしめ用突起３Ｂがかしめられて固着されている。
【０００７】
以上のように構成された従来の操作つまみ付き回転型可変抵抗器は、操作つまみ６を回転させると、操作つまみ６が固着された駆動体３が軸部３Ａを中心として回転し、駆動体３下面に装着された刷子４が抵抗体２上を摺動して抵抗値を可変させるものである。
【０００８】
そして、この操作つまみ付き回転型可変抵抗器は、電子機器の筐体に設けられた隙間から操作つまみ６の外周部６Ａを突出状態にして搭載され、その突出部に対して回転操作する構成で使用されることが多かった。
【０００９】
なお、この出願の発明に関連する先行技術文献情報としては、例えば、特許文献１が知られている。
【特許文献１】特開昭５９−１５９４１９号公報
【発明の開示】
【発明が解決しようとする課題】
【００１０】
しかしながら、上記従来の操作つまみ付き回転型電子部品においては、搭載された電子機器を誤って落とした際、機器の筐体から突出した操作つまみ６側が下側になっていると、落下による衝撃荷重が操作つまみ６の外周部６Ａに加わって操作つまみ６が破損することがあるという課題があった。
【００１１】
本発明は、このような従来の課題を解決するものであり、携帯用電子機器の落下などで操作つまみに衝撃荷重が加わっても操作つまみの破損等の発生が従来のものよりも少なくできる衝撃荷重対策が施された操作つまみ付き回転型電子部品を提供することを目的とする。
【課題を解決するための手段】
【００１２】
上記目的を達成するために本発明は、以下の構成を有するものである。
【００１３】
本発明の請求項１に記載の発明は、回転軸に固着され、搭載される電子機器の筐体から外方に露出した外周部に触れて回転操作される絶縁樹脂からなる平板状の操作つまみ付きの回転型電子部品であって、上記操作つまみは、その外周部と上記回転軸に固着された部分との間に衝撃緩和手段が設けられ、かつ、その衝撃緩和手段の中で衝撃吸収力の異なる部位を配設してある操作つまみ付き回転型電子部品であり、操作つまみの外周部と上記回転軸に固着された部分との間に衝撃緩和手段が設けられているため、搭載された電子機器を誤って落下させたりぶつけたりした時などで操作つまみに衝撃荷重が加わっても操作つまみが破損し難く、かつ衝撃力が加わった際に、衝撃吸収力の大きい部位で大きくその衝撃力が吸収されるものにできるという作用を有する。
【００１４】
請求項２に記載の発明は、請求項１記載の発明において、操作つまみの衝撃緩和手段として、その外周部と回転軸に固着された部分との間が複数のアーム部で繋がれ、そのアーム部どうしの間が隙間となる構成のものとされ、その衝撃緩和手段の中で衝撃吸収力の異なる部位として、上記各アーム部は、径方向に向けて厚みが変えられて構成されたものであり、それぞれが独立した複数のアーム部は弾性を備え、外方からの衝撃荷重による応力を分散させることができ、かつ、この各アーム部は径方向に向けて厚みが変えられた構成であるため、そのアーム部内での厚みの薄い部位で操作つまみへの衝撃が多く吸収できるようになるという作用を有する。
【００１５】
請求項３に記載の発明は、請求項１記載の発明において、操作つまみの衝撃緩和手段として、その外周部と回転軸に固着された部分との間が薄く形成された薄肉部で連結され、その衝撃緩和手段の中で衝撃吸収力の異なる部位として、上記薄肉部は、径方向に向けて厚みを変えられて構成されたものであり、外方からの衝撃荷重に対し、その薄肉部が撓んで応力を緩和させることができ、かつ、この薄肉部は、径方向に向けて厚みを変えられて構成されているため、その薄肉部内での厚みの薄い部位で操作つまみへの衝撃が多く吸収できるようになるという作用を有する。
【００１６】
請求項４に記載の発明は、請求項１記載の発明において、衝撃緩和手段の衝撃吸収力の異なる部位を含めて操作つまみの材質が、エラストマー樹脂製であるものであり、操作つまみへの衝撃緩和に対し、汎用樹脂材料を用いて安価に対応できるという作用を有する。
【００１７】
請求項５に記載の発明は、請求項１記載の発明において、衝撃吸収力の異なる部位は、径方向に向かって厚みが暫時変えられて構成されているものであり、衝撃力が加わった際に、その衝撃力が局所的に集中して加わることが少なくできるという作用を有する。
【００１８】
請求項６に記載の発明は、回転軸に固着され、搭載される電子機器の筐体から外方に露出した外周部に触れて回転操作される操作つまみ付きの回転型電子部品であって、上記操作つまみは、エラストマー樹脂で構成され、その材質に起因して上記操作つまみへの衝撃力が緩和される操作つまみ付き回転型電子部品としたものであり、他の通常の絶縁樹脂よりも弾性を有するエラストマー樹脂の特性を活かして安価かつ簡素な構成で衝撃対策が施されたものにできるという作用を有する。
【発明の効果】
【００１９】
以上のように本発明によれば、携帯用電子機器の落下などで搭載された電子部品の操作つまみに衝撃荷重が加わっても、操作つまみの破損等の発生が従来のものよりも低減できる操作つまみ付き回転型電子部品が提供できるという有利な効果が得られる。
【発明を実施するための最良の形態】
【００２０】
以下、本発明の実施の形態について、図１〜図６を用いて説明する。
【００２１】
なお、従来の技術の項で説明した構成と同一構成の部分には同一符号を付して、詳細な説明を簡略化する。
【００２２】
（実施の形態１）
実施の形態１を用いて、本発明の特に請求項１、２、４〜６記載の発明について説明する。
【００２３】
図１は本発明の第１の実施の形態による操作つまみ付き回転型電子部品としての操作つまみ付き回転型可変抵抗器の断面図、図２は同操作つまみの外観斜視図、図３は同操作つまみの上面図である。
【００２４】
同図において、１は凹部底面に抵抗体２を備えたケース、３は上記抵抗体２上を摺動する刷子（図示せず）を下面に備えた駆動体であり、駆動体３はピン状部材５を介してケース１に対し回転可能に装着されている。また、上記駆動体３には、絶縁樹脂からなる平板状の操作つまみ１１が、かしめ用突起３Ｂをかしめて固着されている。
【００２５】
その動作については、上記操作つまみ１１の外周部１１Ａを指で触れて回転させることにより、当該操作つまみ１１が固着された駆動体３が軸部３Ａを中心として回転し、その駆動体３の下面に装着された刷子が抵抗体２上を摺動して抵抗値を可変させることは従来と同様である。
【００２６】
このとき、本実施の形態１によるものは、上記操作つまみ１１が従来のものとは異なり、その構成は、駆動体３に固着される固着部分１１Ｂと外周部１１Ａとの間が、等角度で４箇所に配設された円弧状のアーム部１１Ｃによって繋がれており、それらアーム部１１Ｃどうしの間は隙間となって構成され、しかも各アーム部１１Ｃは、固着部分１１Ｂ側と外周部１１Ａ側の端部側が厚みは厚く、中央部分は、その端部側に対して衝撃吸収力の異なる部位として厚みが薄く構成されている。
【００２７】
なお、各アーム部１１Ｃの径方向に向かう厚みの設定としては、図１に示すように、暫時厚みが連続して側面視曲線的に変化する構成が好ましいが、階段状に変化させるようにしてもよく、また、各アーム部の厚みを同等としてアーム部の中央位置が細くなるように幅を変えてもよい。
【００２８】
そして、上記操作つまみ付き回転型可変抵抗器は、従来と同様に操作つまみ１１の外周部１１Ａを所定量外方に突出状態として携帯用ＡＶ機器などの電子機器に搭載できる。このとき電子機器を誤って落下させたりぶつけたりして操作つまみ１１の外周部１１Ａに衝撃荷重が加わったとしても、上記円弧状のアーム部１１Ｃ各々の弾性によりアーム部１１Ｃが撓んで衝撃荷重を分散させる衝撃緩和手段として機能するため、操作つまみ１１の破損も少なくできる。
【００２９】
また、各アーム部１１Ｃは、衝撃吸収力の異なる部位として径方向に向けて厚みが変えられた構成であるため、その厚みの薄い部位では衝撃吸収力が向上したものとなる。
【００３０】
さらに、各アーム部１１Ｃの厚みが、暫時連続して側面視曲線的に変化する構成であれば、衝撃力が局所的に集中して加わり、各アーム部１１Ｃの過度な撓み状態になることなどを防止できる。
【００３１】
また、操作つまみ１１の材質をＪＩＳ  Ｋ  ６２５３のデュロメータ硬さタイプＤでＤ４０〜Ｄ６０のエラストマー樹脂製にすれば、回転操作時には操作つまみ１１が変形することなく、衝撃荷重が加わった際は、操作つまみ１１の外周部１１Ａを含めて弾性変形してその衝撃荷重が分散できるようになる。
【００３２】
なお、材質がエラストマー樹脂製である場合には、上記アーム部１１Ｃを配した操作つまみ１１とすることなく平板状の形状のものであっても、他の通常の絶縁樹脂よりも弾性を有するエラストマー樹脂の特性を活かしてその材質面での弾性力により衝撃荷重を緩和させることも可能であり、かつエラストマー樹脂は、汎用樹脂材料でもあるので、安価かつ簡素な構成で衝撃対策を施したものにできる。
【００３３】
（実施の形態２）
実施の形態２を用いて、本発明の特に請求項３記載の発明について説明する。
【００３４】
なお、実施の形態１の構成と同一構成の部分には同一符号を付して、詳細な説明を省略する。
【００３５】
図４は本発明の第２の実施の形態による操作つまみ付き回転型電子部品としての操作つまみ付き回転型可変抵抗器の断面図、図５は同操作つまみの部分断面外観図である。
【００３６】
図４に示すように、実施の形態２によるものは、実施の形態１によるものに対し、駆動体３に装着された操作つまみ１２の構成が異なるものである。その他の構成部分は、実施の形態１によるものと同じであるため、説明は省略する。
【００３７】
そして、上記操作つまみ１２は、図５の操作つまみの部分断面の外観斜視図に示すように、駆動体３のかしめ用突起３Ｂにより固着された固着部分１２Ｂと外周部１２Ａとの間が、薄肉部１２Ｃで構成されたものとなっている。
【００３８】
そして、この薄肉部１２Ｃにおいても、固着部分１２Ｂ側と外周部１２Ａ側の端部側は厚みが厚く、中央部分は、その端部側に対して衝撃吸収力の異なる部位として厚みが薄く形成され、径方向に向けて厚みの変化は暫時連続して側面視曲線的に変化する構成となっている。
【００３９】
この操作つまみ１２に衝撃荷重が加わった場合でも、外周部１２Ａと固着部分１２Ｂとの間に構成した薄肉部１２Ｃが撓み、しかも衝撃吸収力の異なる部位として配された薄肉部１２Ｃの中でも厚みが薄く構成されている中央部で大きく上記衝撃吸収作用を果たして、その応力を十分に緩和させることができるため、操作つまみ１２の破損を防止することができる。
【００４０】
なお、図６に示すように、外周部１３Ａと固着部分１３Ｂとの間の薄肉部１３Ｃに放射状にスリット１３Ｄを設けた実施の形態１によるものとの組み合わせ構成の操作つまみ１３とすると、薄肉部１３Ｃが、さらに容易に撓みやすくなるため、操作つまみ１３に衝撃荷重が加わった場合に、より衝撃荷重が緩和されやすくでき、操作つまみ１３の破損が防止できるものとなる。
【００４１】
なお、実施の形態１および実施の形態２による操作つまみ付き回転型電子部品として、操作つまみ付き回転型可変抵抗器を例として説明したが、回転型可変抵抗器に限られることはなく回転型エンコーダや回転型スイッチなどであっても良い。
【産業上の利用可能性】
【００４２】
本発明による操作つまみ付き回転型電子部品は、衝撃荷重が加わっても操作つまみの破損等の発生が従来のものよりも低減できるという特長を有し、携帯用ＡＶ機器、ＰＤＡや携帯電話などに代表される携帯用の電子機器の操作部に有用である。
【図面の簡単な説明】
【００４３】
【図１】本発明の第１の実施の形態による操作つまみ付き回転型電子部品としての操作つまみ付き回転型可変抵抗器の断面図
【図２】同操作つまみの外観斜視図
【図３】同操作つまみの上面図
【図４】本発明の第２の実施の形態による操作つまみ付き回転型電子部品としての操作つまみ付き回転型可変抵抗器の断面図
【図５】同操作つまみの部分断面の外観斜視図
【図６】同スリットを設けた操作つまみの外観斜視図
【図７】従来の操作つまみ付き回転型可変抵抗器の断面図
【図８】同外観斜視図
【図９】同分解斜視図
【符号の説明】
【００４４】
１  ケース
２  抵抗体
３  駆動体
３Ａ  軸部
３Ｂ  かしめ用突起
１１、１２、１３  操作つまみ
１１Ａ、１２Ａ、１３Ａ  外周部
１１Ｂ、１２Ｂ、１３Ｂ  固着部分
１１Ｃ  アーム部
１２Ｃ、１３Ｃ  薄肉部
１３Ｄ  スリット
【図１】
2005222979.tif 000003
【図２】
2005222979.tif 000004
【図３】
2005222979.tif 000005
【図４】
2005222979.tif 000006
【図５】
2005222979.tif 000007
【図６】
2005222979.tif 000008
【図７】
2005222979.tif 000009
【図８】
2005222979.tif 000010
【図９】
2005222979.tif 000011